(57)【要約】【課題】回転ガントリーが駆動しても照射目標中心精度が高い粒子線治療装置を提供することにある。【解決手段】内部に設けられた放射線治療室１５に荷電粒子線を照射する照射ポート４を周回変位させる回転ガントリー１１を有する粒子線治療装置１４において、この回転ガントリー１１を構成するガントリー胴部１と、このガントリー胴部１に設けられた前記照射ポート４と患者または患者が載る治療台５の相対位置を計測する位置計測機構７を有し、この計測機構７で計測された少なくとも１自由度以上の変位を縮小する方向に前記治療台５の位置および／または前記照射ポート４から照射される荷電粒子線の照射方向を移動させて制御する移動制御部１７とを有することを特徴とする。【選択図】図３
2019136375.tif 000002
【特許請求の範囲】
【請求項１】
内部に設けられた放射線治療室に荷電粒子線を照射する照射ポートを周回変位させる回転ガントリーを有する粒子線治療装置において、
この回転ガントリーを構成するガントリー胴部と、
このガントリー胴部に設けられた前記照射ポートと患者または患者が載る治療台の相対位置を計測する位置計測機構を有し、この計測機構で計測された少なくとも１自由度以上の変位を縮小する方向に前記治療台の位置および／または前記照射ポートから照射される荷電粒子線の照射方向を移動させて制御する移動制御部とを有したことを特徴とする粒子線治療装置。
【請求項２】
前記位置計測機構は、前記照射ポートまたは前記治療台にレーザ変位計及びターゲットを配置することを特徴とする請求項１に記載の粒子線治療装置。
【請求項３】
前記位置計測機構は、前記放射線治療室または壁にレーザ変位計を設け、前記照射ポートおよび／または前記治療台にターゲットを配置することを特徴とする請求項１に記載の粒子線治療装置。
【請求項４】
前記移動制御部は、前記照射ポートと前記治療台の相対位置を基に前記回転ガントリーの回転角度毎にガントリー胴部に設置された偏向磁石により荷電粒子線の照射方向をフィードバック制御することを特徴とする請求項１から請求項３のいずれか１項に記載の粒子線治療装置。
【請求項５】
前記移動制御部は、照射装置と患者が載る前記治療台の相対位置が予め定めた制限値を超えた場合に異常信号を発することを特徴とする請求項１から請求項４のいずれか１項に記載の粒子線治療装置。
【請求項６】
内部に設けられた放射線治療室に荷電粒子線を照射する照射ポートを周回変位させる回転ガントリーを有し、
この回転ガントリーを構成するガントリー胴部と、
このガントリー胴部に設けられた前記照射ポートと患者または患者が載る治療台を有する粒子線治療装置の制御方法において、
前記照射ポートと前記治療台の相対位置を位置計測機構で計測し、
前記位置計測機構で計測された少なくとも１自由度以上の変位を縮小する方向に前記治療台の位置および／または前記照射ポートから照射される荷電粒子線の照射方向を移動させて制御することを特徴とする粒子線治療装置の制御方法。
【発明の詳細な説明】
【技術分野】
【０００１】
本発明の実施形態は、患者の患部に荷電粒子線を照射して治療を行う粒子線治療装置および粒子線治療装置の制御方法に関する。
【背景技術】
【０００２】
癌などの患者の患部に照射目標中心（アイソセンタ）を設定して陽子、炭素イオン等のイオンビーム（荷電粒子線）を照射する粒子線治療技術が広く知られている。
【０００３】
例えば、この治療に用いる粒子線治療装置は、イオンビーム発生装置、ビーム輸送系、および回転ガントリーに設置された照射装置を備えている。
【０００４】
イオンビーム発生装置で加速されたイオンビームは、ビーム輸送系を経て照射装置に達し、照射装置から患者の患部に照射される。この際、照射装置は回転ガントリーの回転に伴って患者の周りを回転し、治療計画で定められた照射角度に基づいて患部にイオンビームを照射することが可能である。このイオンビームによる患部近傍の正常な組織の障害を少なくするために、イオンビームを患部に正確に照射する必要がある。このためには、粒子線照射部の位置決め、及び、この粒子線照射部に対する患者患部の位置合わせを正確に実施することが重要となる。
【０００５】
一般に、回転ガントリーは回転に伴い、回転軸と平行の方向に移動する挙動が知られており、照射位置の三次元的な振れ回り精度の悪化要因の1つとなっている。
【先行技術文献】
【特許文献】
【０００６】
【特許文献１】特開２０１４−１１３４１９号公報
【特許文献２】特開２０１６−０３１５５３号公報
【発明の概要】
【発明が解決しようとする課題】
【０００７】
上記従来技術の回転ガントリーでは、回転軸と平行の挙動の抑制が充分でないと照射装置から照射目標中心に照射する際の照射位置の三次元的な振れ回り精度（照射目標中心精度）が、回転ガントリーの回転に伴い、数mm程度のばらつきを持つ可能性があった。その結果、治療照射の際に照射角度によっては患者の位置決めに多大な時間を要するという課題があった。
【０００８】
本発明の目的は、照射目標中心精度を高くすることができる粒子線治療装置および粒子線治療装置の制御方法を提供することにある。
【課題を解決するための手段】
【０００９】
上記目的を達成するために本実施形態に係る粒子線治療装置は、内部に設けられた放射線治療室に荷電粒子線を照射する照射ポートを周回変位させる回転ガントリーを有する粒子線治療装置において、この回転ガントリーを構成するガントリー胴部と、このガントリー胴部に設けられた前記照射ポートと患者が載る治療台の相対位置を計測する位置計測機構を有し、この計測機構で計測された少なくとも１自由度以上の変位を縮小する方向に前記治療台の位置および／または前記照射ポートから照射される荷電粒子線の照射方向を移動させて制御する移動制御部とを有することを特徴とする。
【００１０】
また、本実施形態に係る粒子線治療装置の制御方法は、内部に設けられた放射線治療室に荷電粒子線を照射する照射ポートを周回変位させる回転ガントリーを有し、この回転ガントリーを構成するガントリー胴部と、このガントリー胴部に設けられた前記照射ポートと患者または患者が載る治療台を有する粒子線治療装置の制御方法において、前記照射ポートと前記治療台の相対位置を位置計測機構で計測し、前記位置計測機構で計測された少なくとも１自由度以上の変位を縮小する方向に前記治療台の位置および／または前記照射ポートから照射される荷電粒子線の照射方向を移動させて制御することを特徴とする。
【発明の効果】
【００１１】
本発明の実施形態は、照射目標中心精度を高くすることができる粒子線治療装置および粒子線治療装置の制御方法を提供できる。
【図面の簡単な説明】
【００１２】
【図１】本発明に係る粒子線治療装置および粒子線治療装置の制御方法の実施形態を示す斜視図。
【図２】図１に示した回転ガントリーの回転軸Ａ−Ａ軸方向で切断した概略縦断面図。
【図３】図１に示した粒子線治療装置の実施形態を示す要部拡大縦断面図。
【図４】本発明に係る粒子線治療装置の第２実施形態を示す要部拡大縦断面図。
【発明を実施するための形態】
【００１３】
（第１実施例）
以下、本発明の第１実施形態を図１から図３を参照して説明する。
【００１４】
図１は、粒子線治療装置１４の斜視図を示し、図２に図１に示した回転ガントリー１１の回転軸Ａ−Ａ軸方向で切断した概略縦断面図を示す。
【００１５】
図１において粒子線治療装置１４は、放射線治療室１５に荷電粒子線（重粒子線、陽子線等）を照射する照射ポート４を周回変位させ加速粒子線を任意の位置から照射させる回転ガントリー１１と、この放射線治療室１５において治療台５を移動させその位置及び方向を設定する移動制御部１７と、照射ポート４の側方に基端が支持されるアーム6を、備えている。
【００１６】
そして、この粒子線治療装置１４は、本体胴（ガントリー胴部）１、搭載磁石（偏向磁石）２、磁石サポート３、照射ポート４、治療台５、エンドリング８、カウンターウェイト９、ターニングローラ１０を有している。
【００１７】
前記本体胴１は、内部が放射線治療室１５であり、照射ポート４を収容し、外部に偏向磁石を含む搭載磁石２、磁石サポート３、カウンターウェイト９が設置されている。また、前記本体胴１と接続されているエンドリング８が架台１２に設置されたターニングローラ１０と接触回転し、荷電粒子線が任意の角度位置から治療台５上の患者１３（図３参照）に照射される構成となっている。
【００１８】
搭載磁石（偏向磁石）２は磁石サポート３により前記本体胴1と接続されており、荷電粒子線を照射ポート4まで導く機能を有している。
【００１９】
カウンターウェイト9は本体胴1の回転体としての重量バランスを保つために搭載磁石２の回転軸（Ａ―Ａ軸）方向として対象の位置すなわち回転軸方向で逆側に配置される重りである。
【００２０】
図２の回転ガントリー１１の回転軸方向で切断した概略縦断面図で示すように、回転軸Ａ―Ａと平行に回転ガントリー１１の回転に伴い回転ガントリー１１が移動する挙動が知られている。
【００２１】
図３の回転ガントリー１１の回転軸方向で切断した放射線治療室１５の縦断面図で示すように、レーザ変位計７およびターゲット１６が計測される自由度および場所に応じて１つまたは複数個、照射ポート４と治療台5に設けられている。
【００２２】
このレーザ変位計7は授受されるレーザ１８によって照射ポート４と治療台５の1自由度以上の相対変位を計測し、計測された相対変位を基に移動制御部１７が照射目標とのずれを縮小する方向に治療台５の位置をフィードバック制御する。また、照射目標とのずれを縮小する方向に、相対位置を基に回転ガントリー１１の回転角度毎に偏向磁石２により照射ポート4から照射される荷電粒子線の照射方向をフィードバック制御するようにしても良く、この治療台５の位置と荷電粒子線の照射方向の双方をフィードバック制御するようにしても良い。
【００２３】
また、この移動制御部１７は照射ポート４と患者が載る前記治療台５の相対位置が予め定められた制限値を超えた場合に異常信号を発信して操作者がその異常をスピーカ等によって確認できるようにしても良い。
【００２４】
よって本実施形態によれば、レーザ変位計７によって照射ポート４と治療台５の1自由度以上の相対変位を求め、移動制御部１７によって、この計測された１自由度以上の変位を縮小する方向に治療台５の位置および／または照射ポート４から照射される荷電粒子線を移動させて制御するので、照射目標中心精度を高くすることができる。
【００２５】
（第２実施例）
以下、本発明の第２実施形態を添付図面に基づいて説明する。なお、図１および図２の構成は同一であるので構成の説明を省略し、図４を参照して以下説明する。なお、図４において、図３と同一部分には同一符号を付してその部分の構成の説明は省略する。
【００２６】
図4は、本発明の第２実施形態を回転ガントリー１１の回転軸方向で切断した放射線治療室１５の要部拡大縦断面図である。
【００２７】
図４で示すように、壁または治療室等の固定部に設置されたレーザ発信器１９から照射されたレーザ１８を、照射ポート4または治療台５に、計測される自由度および場所に応じて１つまたは複数個設けられたターゲット１６により受光し、レーザ発信器１９とターゲット１６の計測位置から照射ポート４と治療台５の1自由度以上の相対変位を計測する。そして、計測された相対変位を基に移動制御部１７によって、照射目標とのずれを縮小する方向に照射ポート4から照射される粒子線および／または治療台５の位置をフィードバック制御する。
【００２８】
よって本実施形態によれば、レーザ発信器１９とターゲット１６の計測位置から照射ポート４と治療台５の1自由度以上の相対変位を計測し、移動制御部１７によって、この計測された１自由度以上の変位を縮小する方向に治療台５の位置および／または照射ポート４から照射される荷電粒子線を移動させて制御するので、照射目標中心精度を高くすることができる。
【００２９】
本発明のいくつかの実施形態を説明したが、これらの実施形態は、例として提示したものであり、発明の範囲を限定することは意図していない。
【００３０】
これら実施形態は、その他の様々な形態で実施されることが可能であり、発明の要旨を逸脱しない範囲で、種々の省略、置き換え、変更、組み合わせを行うことができる。
【００３１】
これら実施形態やその変形は、発明の範囲や要旨に含まれると同様に、特許請求の範囲に記載された発明とその均等の範囲に含まれるものである。
【符号の説明】
【００３２】
１…本体胴（ガントリー胴部）、２…搭載磁石（偏向磁石）、３…磁石サポート、４…照射ポート、５…治療台、６…アーム、７…レーザ変位計、８…エンドリング、９…カウンターウェイト、１０…ターニングローラ、１１…回転ガントリー、１２…架台、１３…患者、１４…粒子線治療装置、１５…放射線治療室、１６…ターゲット、１７…移動制御部、１８…レーザ、１９…レーザ発信器、Ａ…回転軸。
【図１】
2019136375.tif 000003
【図２】
2019136375.tif 000004
【図３】
2019136375.tif 000005
【図４】
2019136375.tif 000006